(57)【要約】【課題】虫眼鏡機能に基づき拡大画像を表示させる際に、当該画像の画質を保ちつつ、虫眼鏡領域の描画に係る処理に伴う負担を軽減させた画像表示装置の提供すること。【解決手段】画像表示装置１は、マウスを用いて操作する虫眼鏡機能に基づき、所定の画像領域の拡大画像を表示し、前記拡大画像に対して補間処理を行い、マウスの移動状態を検知する検知する検知手段８と、拡大画像の画像処理を行う画像処理手段９とを備え、検知手段８により、マウスのポインタが移動している又は前記マウスのポインタの移動速度が速いことが検知された場合、補間処理が行われる領域の画像処理を少なくとも視認可能な画質であるが処理速度を優先し、かつ、マウスのポインタが停止している又は前記マウスのポインタの移動速度が遅いことが検知された場合、補間処理が行われる領域の画像処理を画質を優先するように処理条件を変更する。【選択図】図２
2007295384.tif 000002
【特許請求の範囲】
【請求項１】
マウスを用いて操作する虫眼鏡機能に基づき、所定の画像領域の拡大画像を表示し、前記拡大画像に対して補間処理を行う画像表示装置であって、
前記マウスの移動状態を検知する検知する検知手段と、
前記拡大画像の画像処理を行う画像処理手段とを備え、
前記検知手段によって検知されるマウスのポインタの移動状態に応じて、処理条件を変更する前記画像処理手段を制御する制御部を備えることを特徴とする画像表示装置。
【請求項２】
前記検知手段により、前記マウスのポインタの移動速度が速いことが検知された場合、前記補間処理が行われる領域の画像処理を少なくとも視認可能な画質であるが画質より処理速度を優先し、かつ、前記マウスのポインタが停止している又は前記マウスのポインタの移動速度が遅いことが検知された場合、前記補間処理が行われる領域の画像処理を処理速度より画質を優先するように処理条件を変更する前記画像処理手段を制御する制御部を備えることを特徴とする請求項１に記載の画像表示装置。
【請求項３】
前記処理条件は、少なくとも前記補間処理が行われる領域の補間処理方法、拡大率、サイズのうちのいずれか一つであることを特徴とする請求項１又は２に記載の画像表示装置。
【請求項４】
前記処理条件が補間処理方法である場合、
前記処理速度より前記画質を優先する処理条件は、３次補間法であり、
前記画質より前記処理速度を優先する処理条件は、最近傍補間法又は線形補間法であることを特徴とする請求項３に記載の画像表示装置。
【請求項５】
前記処理条件が拡大率である場合、
前記処理速度より前記画質を優先する処理条件は、前記補間処理を行う領域の拡大率を高くし、
前記画質より前記処理速度を優先する処理条件は、前記補間処理を行う領域の拡大率を低くすることを特徴とする請求項３に記載の画像表示装置。
【請求項６】
前記処理条件がサイズである場合、
前記処理速度より前記画質を優先する処理条件は、前記補間処理を行う領域のサイズを大きくし、
前記画質より前記処理速度を優先する処理条件は、前記補間処理を行う領域のサイズを小さくすることを特徴とする請求項３に記載の画像表示装置。
【発明の詳細な説明】
【技術分野】
【０００１】
本発明は、画像データを処理し、表示部に画像を表示する画像表示装置に関し、特に虫眼鏡機能を適用して画像を表示する画像表示装置に関する。
【背景技術】
【０００２】
従来から、ユーザが視認しながらディスプレイ上で所定の画像処理を行う際に、画像表示装置に接続されたマウスの操作により画像表示装置への入力が行われることがある。
【０００３】
例えば、医療用画像などをディスプレイに３Ｄ表示させ、この画像の視点変更を行う場合には、マウスでドラッグ＆ドロップ操作を行うことにより画面上で表示画像の回転が行われていた。
【０００４】
３Ｄ画像の表示には、多くの時間を要することから、従来では、マウスのドラッグ中に画質の粗い画像を表示させ、ドロップ後に高精細な画像を表示させることで、マウスのドラッグ中の画像処理にかかる負担を軽減して処理速度を維持し、ユーザへの心理的負担をなくしつつ、高精細な画像の視認を可能にしていた。
【０００５】
ところで、ビューワー機能の一つとして虫眼鏡機能が適用された画像表示装置が知られている（例えば、特許文献１参照）。
【０００６】
この虫眼鏡機能とは、マウスを用いて画像表示を行う際に、マウスで画像の一部領域をクリックすると、背景となる全体画像の前面に小さなフレームが表示され、マウスが指している箇所（ポインタ）を中心とする所定範囲の領域が該フレーム内に拡大表示されるという機能である。この状態でマウスのポインタを移動するとフレームを移動させることができるので、ユーザが、ある領域の拡大画像を視認する場合には、画像の一部領域をクリックしてフレームを表示させて移動させ、視認したい箇所でマウスのポインタを停止させることで、フレーム内に拡大表示された画像を視認することができる。一方、虫眼鏡機能の不要時には、マウスのクリック・ボタンを離した状態にするとフレームが消え、画面上には全体画像が表示される。
【特許文献１】特開２００４−２５５０５７号公報
【発明の開示】
【発明が解決しようとする課題】
【０００７】
しかしながら、この虫眼鏡機能においては、フレームの移動中に、フレーム領域内の画像に対して常に高画質を出せるような補間処理方法を適用すると、表示されたフレーム領域の描画の画像処理にメモリが多く使われ、画像の描画が追いつかないという問題が生じていた。その結果、フレーム領域内の画像が残像として画面上に残ってしまうことがあった。逆に、補間方法において処理速度を優先すると、本来、画像拡大の目的である病変の検出性能が落ちてしまうという別の問題が発生する。
【０００８】
そこで、本発明は、前記問題点を鑑みてなされたものであり、虫眼鏡機能に基づき拡大画像を表示させる際に、当該画像の画質を保ちつつ、虫眼鏡領域の描画に係る処理に伴う負担を軽減させた画像表示装置の提供を目的とする。
【課題を解決するための手段】
【０００９】
請求項１に記載の発明は、
マウスを用いて操作する虫眼鏡機能に基づき、所定の画像領域の拡大画像を表示し、前記拡大画像に対して補間処理を行う画像表示装置であって、
前記マウスの移動状態を検知する検知する検知手段と、
前記拡大画像の画像処理を行う画像処理手段とを備え、
前記検知手段によって検知されるマウスのポインタの移動状態に応じて、処理条件を変更する前記画像処理手段を制御する制御部を備えることを特徴とする。
【００１０】
請求項１に記載の発明によれば、補間処理が行われる領域では、マウスのポインタの移動状態に応じて、画質又は処理速度を優先した画像処理が行われ、拡大画像が表示される。
【００１１】
請求項２に記載の発明は、請求項１に記載の画像表示装置において、
前記検知手段により、前記マウスのポインタの移動速度が速いことが検知された場合、前記補間処理が行われる領域の画像処理を少なくとも視認可能な画質であるが画質より処理速度を優先し、かつ、前記マウスのポインタが停止している又は前記マウスのポインタの移動速度が遅いことが検知された場合、前記補間処理が行われる領域の画像処理を処理速度より画質を優先するように処理条件を変更する前記画像処理手段を制御する制御部を備えることを特徴とする。
【００１２】
請求項２に記載の発明によれば、補間処理が行われる領域では、マウスのポインタが移動している又はマウスのポインタの移動速度が速い場合、少なくとも視認可能な画質であるが、画質より処理速度を優先した画像処理が行われ、マウスのポインタが停止している又はマウスのポインタの移動速度が遅い場合、処理速度より画質を優先した画像処理が行われるので、常に視認可能な画質が維持されているものの、マウスのポインタが移動している又はマウスのポインタの移動速度が速い場合には、処理速度を向上させた画像処理を行うことができ、マウスのポインタが停止している又はマウスのポインタの移動速度が遅い場合には、画質を向上させた画像処理を行うことができる。
【００１３】
請求項３に記載の発明は、請求項１又は２に記載の画像表示装置において、
前記処理条件は、少なくとも前記補間処理が行われる領域の補間処理方法、拡大率、サイズのうちのいずれか一つであることを特徴とする。
【００１４】
請求項３に記載の発明によれば、少なくとも補間処理が行われる領域の補間処理方法、拡大率、サイズのうちのいずれか一つの処理条件を変更することで、画像処理が行われており、マウスのポインタが移動している又は前記マウスのポインタの移動速度が速いことが検知された場合には、前記補間処理が行われる領域の画像処理を画質より処理速度を優先し、マウスのポインタが停止している又は前記マウスのポインタの移動速度が遅いことが検知された場合には、補間処理が行われる領域の画像処理を処理速度より画質を優先して行われる。
【００１５】
請求項４に記載の発明は、請求項３に記載の画像表示装置において、
前記処理条件が補間処理方法である場合、
前記処理速度より前記画質を優先する処理条件は、３次補間法であり、
前記画質より前記処理速度を優先する処理条件は、最近傍補間法又は線形補間法であることを特徴とする。
【００１６】
請求項４に記載の発明によれば、補間処理方法を変更することで、補間処理が行われる領域の画像処理をマウスの移動状態に応じて変更することができ、その際、処理速度より画質を優先する処理条件を３次補間法とし、処理速度より画質を優先する処理条件を最近傍補間法又は線形補間法とすることで、処理速度と画質の両方を最適な条件で画像処理を行わせることができる。
【００１７】
請求項５に記載の発明は、請求項３に記載の画像表示装置において、
前記処理条件が拡大率である場合、
前記処理速度より前記画質を優先する処理条件は、前記補間処理を行う領域の拡大率を高くし、
前記画質より前記処理速度を優先する処理条件は、前記補間処理を行う領域の拡大率を低くすることを特徴とする。
【００１８】
請求項５に記載の発明によれば、拡大率を変更することで、補間処理が行われる領域の画像処理をマウスの移動状態に応じて変更することができ、その際、処理速度より画質を優先する処理条件として補間処理を行う領域の拡大率を高くし、処理速度より画質を優先する処理条件として補間処理を行う領域の拡大率を低くすることで、処理速度と画質の両方を最適な条件で画像処理を行わせることができる。
【００１９】
請求項６に記載の発明は、請求項３に記載の画像表示装置において、
前記処理条件がサイズである場合、
前記処理速度より前記画質を優先する処理条件は、前記補間処理を行う領域のサイズを小さくし、
前記より画質前記処理速度を優先する処理条件は、前記補間処理を行う領域のサイズを大きくすることを特徴とする。
【００２０】
請求項６に記載の発明によれば、サイズを変更することで、補間処理が行われる領域の画像処理をマウスの移動状態に応じて変更することができ、その際、処理速度より画質を優先する処理条件として補間処理を行う領域のサイズを大きくし、処理速度より画質を優先する処理条件として補間処理を行う領域のサイズを小さくすることで、処理速度と画質の両方を最適な条件で画像処理を行わせることができる。
【発明の効果】
【００２１】
請求項１に記載の発明によれば、補間処理がなされた領域では、少なくとも視認可能な画質が維持された状態で、マウスのポインタの移動状態に応じて、画質又は処理速度のいずれか一方を優先した画像処理が行われるので、画像の画質を保ちつつ、虫眼鏡領域の描画に係る処理に伴う負担を軽減させることができる。つまり、病変の検出方法として、拡大画像領域を速く移動させることの目的は、病変位置を大雑把に見出すことであり、病変付近にマウスのポインタがくると、たいていの場合マウスを遅く移動させるか停止させて、詳細な病変を検出する。従って、病変位置付近では画質優先で画像処理を行うため、拡大領域は高画質であり病変の検出性能を高くすることができ、かつ、病変位置を大雑把に見出す際には処理速度優先で画像処理を行うため、ポインタの移動中に残像が発生することを防止することができる。
【００２２】
請求項２に記載の発明によれば、補間処理がなされた領域では、少なくとも視認可能な画質が維持された状態で、マウスの移動速度に応じて画質と処理速度のうち、いずれか一方を優先した画像処理が行われているので、画像の画質を保ちつつ、虫眼鏡領域の描画に係る処理に伴う負担を軽減させることができる。
【００２３】
請求項３に記載の発明によれば、マウスのポインタが移動している又は前記マウスのポインタの移動速度が速いことが検知された場合やマウスのポインタが停止している又はマウスのポインタの移動速度が遅いことが検知された場合など、マウスの移動状態に応じて、少なくとも補間処理が行われる領域の拡大率、サイズ、補間処理方法のうちのいずれか一つを変更して補間処理が行われるので、補間された領域の画像の画質を保ちつつ、虫眼鏡領域の描画に係る処理に伴う負担を軽減させる。
【００２４】
請求項４に記載の発明によれば、補間処理方法を変更して補間処理が行われる領域の画像処理を行う場合に、常に視認可能な画質が維持されているものの、マウスのポインタが移動している又はマウスのポインタの移動速度が速い場合には、最近傍補間法又は線形補間法を適用することで処理速度を向上させた画像処理を行うことができ、マウスのポインタが停止している又はマウスのポインタの移動速度が遅い場合には、３次補間法画質を適用することで画質を向上させた画像処理を行うことができ、処理速度と画質の両方を最適な条件で画像処理を行わせることができる。よって、補間された領域の画像の画質を保ちつつ、虫眼鏡領域の描画に係る処理に伴う負担を軽減させることができる。
【００２５】
請求項５に記載の発明によれば、拡大率を変更して補間処理が行われる領域の画像処理を行う場合に、常に視認可能な画質が維持されているものの、マウスのポインタが移動している又はマウスのポインタの移動速度が速い場合には、補間処理を行う領域の拡大率を低くすることことで処理速度を向上させた画像処理を行うことができ、マウスのポインタが停止している又はマウスのポインタの移動速度が遅い場合には、補間処理を行う領域の拡大率を高くすることで画質を向上させた画像処理を行うことができ、処理速度と画質の両方を最適な条件で画像処理を行わせることができる。よって、補間された領域の画像の画質を保ちつつ、虫眼鏡領域の描画に係る処理に伴う負担を軽減させることができる。
【００２６】
請求項６に記載の発明によれば、拡大率を変更して補間処理が行われる領域の画像処理を行う場合に、常に視認可能な画質が維持されているものの、マウスのポインタが移動している又はマウスのポインタの移動速度が速い場合には、補間処理を行う領域のサイズを小さくすることで処理速度を向上させた画像処理を行うことができ、マウスのポインタが停止している又はマウスのポインタの移動速度が遅い場合には、補間処理を行う領域のサイズを小さくすることで画質を向上させた画像処理を行うことができ、処理速度と画質の両方を最適な条件で画像処理を行わせることができる。よって、補間された領域の画像の画質を保ちつつ、虫眼鏡領域の描画に係る処理に伴う負担を軽減させることができる。
【発明を実施するための最良の形態】
【００２７】
以下、本発明の実施の形態について説明する。
【００２８】
まず、本発明に係る画像表示装置について説明する。
本実施の形態における画像表示装置１は、マウスを使用してディスプレイなどの表示画面を移動させながら視認を行うことを目的として画像処理を行うものであり、図１に示すように、通信部２と、入力部３と、表示部４と、記憶部５と、ＲＡＭ６と、制御部７とを備えている。
【００２９】
通信部２は、ＣＴ等、画像表示装置１に接続された外部装置から送られた画像データを受信するなど、データ通信を行うものである。
【００３０】
入力部３は、キーボードやマウス等からなり、これらの操作に応じた操作信号を制御部７に出力するようになっている。ここでは、虫眼鏡機能を利用した画像処理がマウスの操作に基づいて行われるようになっており、ユーザにより虫眼鏡機能モードが入力されるようになっている。
【００３１】
表示部４は、ＬＣＤ（ Liquid Crystal Display ）等からなる表示手段であり、患者の選択画面や虫眼鏡機能モード入力画面等の各種操作画面や画像を表示するようになっている。
【００３２】
ここでは、通信部２における画像データの受信に基づき出力された信号、もしくは後述する記憶部５に保存された画像データに基づく信号が制御部７に入力されると、受信された画像データに基づく画像（全体画像）が表示部４の全面に表示されるようになっている。
また、入力部３における虫眼鏡機能モードの入力操作に基づいて出力された信号が制御部７に入力されると、所定の画像領域をフレーム内に収容させて拡大表示した画像（拡大画像）が、全体画像の前面に配置されて表示されるようになっている。
【００３３】
なお、入力部３における虫眼鏡機能モードの入力操作とは、具体的には、表示部４に全体画像が表示された状態で、表示された画像に対し、マウスのクリック・ボタンを押すことにより行われる操作であり、表示された全体画像に対し、マウスのクリック・ボタンが押されると、表示部４では、当該画像のマウスのポインタが指している箇所を中心として一定の範囲が拡大表示された拡大画像が表示されるようになっている。その際、フレーム内に表示される拡大画像の範囲は、画像表示装置１の使用に際し、予め、入力部3の操作により数値設定がされる等して登録されている構成とすればよい。
【００３４】
記憶部５は、磁気的又は光学的記録媒体、もしくは半導体メモリなどにより構成され、システムプログラム、画像表示処理プログラム等の各種の制御プログラム及びそれら制御プログラムで処理されたデータ等を記録する。
【００３５】
RAM６は、後述する制御部によって実行される各種制御プログラム及びこれらプログラムに係るデータを一時的に記憶するワークエリアを有する。
【００３６】
制御部７は、前述の画像表示装置1を構成する各部材（通信部２、入力部３、表示部４、記憶部５、ＲＡＭ６）を制御するように構成されている他に、マウスの移動状態を検知する検知手段８を備えている。
ここで、マウスの移動状態とは、ポインタの移動、ポインタの移動速度及びポインタの移動停止を意味するものである。
検知手段８では、マウスの移動状態を検知し、検知されたマウスの状態を表す信号（マウス状態信号）を制御部７に出力するように構成されている。ポインタの速度の検出方法は、例えば、手前何秒間のマウスポインタの座標値をリストとして保持し（常にこのリストは更新され続ける）、移動距離と時間から速度と同等のものを算出する。
【００３７】
また、制御部７は、画像処理手段９を備えており、通信部２や入力部３からの出力信号に基づき画像処理手段９に所定の画像処理を行わせるようになっている。
【００３８】
例えば、通信部２における画像データの受信に基づいて出力された信号が制御部７に入力されると、制御部７は、画像処理手段９に、通信部２で受信された画像データに基づき表示部４に適合するように表示させる為の色調やサイズ等の画像処理など、いわゆる通常の画像処理を行わせるようになっている。
また、入力部３における虫眼鏡機能モードの入力操作に基づいて出力された信号が制御部７に入力されると、制御部７は、画像処理手段９に、表示部４に表示させる拡大画像に対して補間処理を行わせるようになっている。
【００３９】
ここで、補間処理とは、画像の解像度を上げる・下げるとき、若しくは拡大・縮小するときに周囲のピクセル情報に基づいて新しいピクセルを作り出す・減らす処理をいい、補間処理のうち、画像の解像度を上げるとき、若しくは拡大するときに周囲のピクセル情報に基づいて新しいピクセルを作り出す処理を拡大補間処理という。本実施形態においては、補間処理として、拡大補間処理を行うようになっている。
【００４０】
例えば、制御部７では、マウス状態信号が入力されると、検知手段８により検知されたマウスの状態に応じて、画像処理手段９により表示部４に表示させる拡大画像（拡大補間処理を行う領域）に対して拡大補間処理を行わせる際の処理条件として補間処理方法を変えるように画像処理手段９を制御するようになっている。
【００４１】
ここで補間処理方法について説明すると、本実施形態における補間処理方法とは、少なくとも最近傍補間法、線形補間法、３次補間法のうちのいずれか一つの方法をいう。
【００４２】
最近傍補間法（Nearest Neighbor）とは、サイズ変換後の対応点に最も近いピクセルの値を利用して出力ピクセルに割り当てる方法である。この方法では、位置の誤差が最大で１／２ピクセル生じる。また、濃度値の補間が行われない為、エッジ部分ははっきりするが、画像のがたつき感は大きくなる。
【００４３】
線形補間法（Bilinear）とは、２×２のウィンドウ内の４つのピクセルデータ・ファイル値を使用して共１次関数によって出力値を算出する方法であり、サイズ変換後の画像の位置に対応する原画像の位置の４近傍のピクセル値から、その距離に応じて、最も近いピクセルの値が強く反映するようになっている。
【００４４】
３次補間法（Bicubic）とは、４×４のウィンドウ内の１６のピクセルデータ・ファイルを使用して３次元関数によって出力値を算出する方法であり、原画像のマッピング位置周囲１６近傍のピクセル値に所定の係数を掛け合わせたピクセル値の総和を１つのピクセル値とするようになっている。
【００４５】
これらのうち、最近傍補間法では、元画像の各ピクセルを単純に拡大したものとなり、得られる画像の品質は高くないが、これらの中で処理速度が最速である。一方、線形補間法では、周囲の４ピクセルから線形を用いて補間を行い、最近傍補間法に比べ、滑らかなサイズ変換を行うことが可能であるが、その分処理速度が遅くなる。３次補間法では、周囲の１６ピクセルから３次元関数を用いて補間を行うことで、これら２種類の補間処理方法に比べ、最も滑らかなサイズ変換を行うことが可能であるが、最も処理速度が遅くなるという性質がある。
【００４６】
したがって、拡大画像を移動させながら同時に画像処理を行う時に対応するマウスのポインタの移動や、初期表示や画像の切り替え時に対応するマウスのポインタの移動停止に応じて、補間処理方法を変える場合には、画質と処理速度の両方を考慮して決定されることが好ましい。
【００４７】
そこで、本実施形態では、検知手段８がマウスの高速移動を検知した場合には、移動による処理を優先させる。この場合には、線形補間法が適用される。検知手段８がマウスの低速移動を検知した場合には、処理速度よりも画質を優先した補間処理方法で画像処理が行われるようになっている。この場合、前述の補間処理方法のうち、３次補間法を適用する。
【００４８】
次に、この画像表示装置１の作用について図２を参照して説明を行う。
図２に示すように、画像表示装置１に外部装置から画像データが送られると、制御部７は、送られた画像データを基に色調補正やサイズ合わせなど所定の画像処理を施し、表示部４に全体画像を表示させる（ステップＳ１）。
【００４９】
そして、この状態で入力部２からの操作により、虫眼鏡機能モードが入力されると（ステップＳ２；yes）、全体画像の前面に拡大画像が表示された拡大画像が表示される（ステップＳ３）。
【００５０】
その後、制御部７は、検知手段８にマウスのポインタの移動及び移動停止を検知させ（ステップＳ４）、マウスのポインタの移動を検知すると（ステップＳ４；yes）、拡大画像に対する画像処理の処理条件を最近傍補間法にして画像処理を行い（ステップＳ５）、拡大画像が表示される（ステップＳ６）。
【００５１】
一方、マウスのポインタの移動停止を検知すると（ステップＳ４；no）、拡大画像に対する画像処理の処理条件を３次補間法にして画像処理を行い（ステップＳ７）、拡大画像が表示される（ステップＳ６）。
そして、虫眼鏡機能モードが終了するまで、ステップＳ４以降の動作が繰り返される。
【００５２】
その結果、拡大画像では、マウスの移動時においても診断可能な画質レベルを維持した状態で画像処理速度を向上させることができる。
【００５３】
以上により、本発明に係る画像表示装置１では、虫眼鏡機能に基づいて表示された拡大画像を移動させる際に、当該画像は少なくとも視認可能なレベルの画質を常に保つことができ、虫眼鏡領域となる当該画像の描画に係る画像処理に伴う負担を軽減させることができる。
【００５４】
なお、本実施形態においては、検知手段８により検知されたマウスの移動状態に応じて、拡大画像（拡大補間処理を行う領域）に対して補間処理方法を変えるように画像処理手段を制御する構成としたが、拡大補間処理を行う際の処理条件として当該画像の拡大率、サイズを変える構成としてもよく、少なくとも拡大率、サイズ、補間処理方法のうち、いずれか一つを変えるように画像処理手段９を制御するように構成されていればよい。その際、マウス状態信号に基づいて変更する処理条件については、画像表示装置の使用に際し、予め、入力部２などから入力されることで選択される構成とすればよい。
【００５５】
そして、検知手段８がマウスの移動状態に応じて、処理条件として拡大率を変える場合には、検知手段８がマウスのポインタの移動を検知した場合に、拡大画像の拡大率を低くし、検知手段８がマウスのポインタの移動停止を検知した場合に、拡大画像の拡大率を高くするようになっている。
【００５６】
また、検知手段８がマウスの移動状態に応じて、処理条件として表示部４に表示させる拡大画像のサイズを変える場合には、検知手段８がマウスのポインタの移動を検知した場合には、拡大画像のサイズを小さくし、検知手段８がマウスのポインタの移動停止を検知した場合には、拡大画像のサイズを大きくするようになっている。
【００５７】
また、本実施形態における検知手段８は、マウスの移動状態としてマウスのポインタの移動及び移動停止を検知するものとしたが、マウスのポインタの移動速度を検知する構成や、画像処理が施される前の画像のデータ容量としてもよい。この場合、検知手段は、検知したマウスのポインタの移動速度や、画像処理が施される前の画像のデータ容量をマウス状態信号として制御部７に出力するようになっており、制御部７を介して入力されたマウス状態信号に基づき、画像処理手段９は、前述の処理条件を変えるように構成されており、少なくとも拡大率、サイズ、補間処理方法のうち、いずれか一つの処理条件を変えることが好ましい。
【００５８】
マウスのポインタの移動速度に応じて、処理条件として補間処理方法を変える場合には、検知手段８がマウスのポインタの移動速度が速いことを検知した場合に、少なくとも診断可能な画質レベルを維持させつつ、画質よりも処理速度を優先した補間処理方法で画像処理が行われるようになっており、最近傍補間法又は線形補間法が適用され、特に、最近傍補間法が適用される。一方、検知手段８がマウスのポインタの移動速度が遅いことを検知した場合には、処理速度よりも画質を優先した補間処理方法で画像処理が行われるようになっており、３次補間法が適用される。
【００５９】
また、検知手段８がマウスのポインタの移動速度に応じて、処理条件として拡大率を変える場合には、検知手段８がマウスのポインタの移動速度が速いことを検知した場合に、拡大画像の拡大率を低くし、検知手段８がマウスの移動停止を検知した場合に、拡大画像の拡大率を高くするようになっている。
【００６０】
また、検知手段８がマウスのポインタの移動速度に応じて、処理条件として表示部４に表示させる拡大画像のサイズを変える場合には、検知手段８がマウスのポインタの移動速度が速いことを検知した場合には、拡大画像のサイズを小さくし、検知手段８がマウスのポインタの移動速度が遅いことを検知した場合には、拡大画像のサイズを大きくするようになっている。
【００６１】
また、画像処理が施される前の画像データ容量に応じて、処理条件として補間処理方法を変える場合には、検知手段８が画像処理が施される前の画像データ容量が大きいことを検知した場合に、少なくとも診断可能な画質レベルを維持させつつ、画質よりも処理速度を優先した補間処理方法で画像処理が行われるようになっており、最近傍補間法又は線形補間法が適用される。特に、最近傍補間法が適用されることが好ましい。一方、検知手段８が画像処理が施される前の画像データ容量が小さいことを検知した場合に、処理速度よりも画質を優先した補間処理方法で画像処理が行われるようになっており、３次補間法が適用される。
【図面の簡単な説明】
【００６２】
【図１】本発明に係る画像表示装置の概略構成を示す図である。
【図２】本発明に係る画像表示装置の動作の流れを示すフロー図である。
【符号の説明】
【００６３】
１  画像表示装置
２  通信部
３  入力部
４  表示部
５  記憶部
６  ＲＡＭ
７  制御部
８  検知手段
９  画像処理手段
【図１】
2007295384.tif 000003
【図２】
2007295384.tif 000004